(57)【特許請求の範囲】
【請求項１】
展開することにより四角または六角筒状をなす育苗移植用鉢体において、相対向しまたは相隣接する側壁を高さ方向に切込んで形成した少なくとも２つの切片の先端部同士を耐水性接着剤で貼着して、底片としたことを特徴とする育苗移植用底付き鉢体。
【発明の詳細な説明】
【０００１】
【発明が属する技術分野】
本発明は、展開することにより四角または六角筒状をなす育苗移植用鉢体に係り、特に底部に土抜け防止用の底片を設けた底付き鉢体に関する。
【０００２】
【従来の技術】
従来より、紙または紙のような薄膜を展開することにより形成される四角または六角筒状の鉢体内で育苗し、生育した苗を鉢体ごと移植することが広く行われているが、鉢体の口径が大きい場合は、移植に際しての取扱中に土抜けが発生し、移植後の生育に遅れを来すことになる。
【０００３】
そこで従来、例えば特公平５−６号公報、特開平７−３１２９２号公報、特開平７−３１２９３号公報等には、展開することにより四角または六角筒状をなす鉢体の相対向しまたは相隣接する側壁下に、予め延長部を設けると共に、該延長部の先端部または側縁部同士を耐水性接着剤で貼着し、展開に応じて該延長部を底片とすることが提案されている。
【０００４】
【発明が解決しようとする課題】
しかし、上記公報類に記載の底付き鉢体によれば、何れも鉢体を形成する部分以外に底片とする延長部が必要になるため、使用材料が増加するばかりか、材料ロスが多く発生し、コスト負担が増大するという問題があった。また、この種の鉢体は、通常は扁平状態として取扱われるが、前記延長部の存在により扁平状態での面積が拡大し、保管運搬にかかるコストも増大するという問題があった。
【０００５】
本発明は、上記した従来の問題点に鑑みてなされたもので、その目的とするところは、鉢体の形成に必要な材料内で底片を形成し、もって使用材料の削減並びに取扱性の向上に寄与する底付き鉢体を提供することにある。
【０００６】
【課題を解決するための手段】
本発明は、上記目的を達成するため、展開することにより四角または六角筒状をなす育苗移植用鉢体において、相対向しまたは相隣接する側壁を高さ方向に切込んで形成した少なくとも２つの切片の先端部同士を耐水性接着剤で貼着して、底片とするようにしたことを特徴とする。
このように、側壁から切起こした切片を底片として用いることで、材料的な無駄がなくなり、しかも、底片が内部に納まるので、扁平状態とした際の面積も縮小する。
【０００７】
【発明の実施の形態】
以下、本発明の実施の形態を添付図面に基づいて説明する。
【０００８】
図１乃至図３は、本発明の第１の実施の形態を示したものである。これらの図において、１は、本発明に係る底付き鉢体で、六角筒状の鉢本体２と鉢本体２の内底部に設けられた複数の底片３とからなっている。底片３は、鉢本体２の相対向する側壁を切起こしてなる切片４，５の先端部同士を耐水性接着剤６で貼着して形成されている。切片４，５は、ここでは一つの側壁に対して各２つ設けられおり、したがって鉢本体２の底部は、二条の底片３を橋渡した透過構造となっている。
【０００９】
本第１の実施の形態において、上記底付き鉢体１は連結片７にて相互に連結されて連続鉢８を形成しており、その連続鉢８は、底付き鉢体１が密に集合するように重ね合されると共に、その相互間が水溶性接着剤により貼着されて集合鉢９を形成している。集合鉢９は、通常は扁平状態として保管され、使用時に左右方向へ引張ることでハニカム状に展開し、この展開状態で各底付き鉢体１内に培地を入れて播種することにより、集中的に多数の苗を育成できる。一方、育苗時の灌水で水溶性接着剤が溶解するので、育苗後、連続鉢８の一端を引くと、図３に示すように重ね合された連続鉢８が相互に分離して一列に引出され、適当な移植機を利用して、底付き鉢体１を苗と一緒に連続に移植することが可能になる。
【００１０】
上記したように育苗移植に用いられる底付き鉢体１は、その内底部に底片３を有しているので、前記移植機に集合鉢９を移し替える際、あるいは移植機から植付面に移送する際、底付き鉢体１の底から土抜けが生じることはなく、底片３の周りの開口並びに切片４，５の切起し跡としての開口を通じて根が伸びることと相まって、移植された苗は順調に生長する。なお、切片４，５の切起し跡としての開口からの土抜けは、底付き鉢体１内に根が回っているので、ほとんど無視できる程度となる。
【００１１】
ここで、上記連続鉢８は、耐腐性を有する二枚の紙シート１０，１１を重ね合せて形成されており、その二枚の紙シート１０，１１を耐水性接着剤６にて貼着した接着部が前記連結片７として、連結片７の相互間の非接着部が前記底付き鉢１としてそれぞれ供されるようになっている。
【００１２】
上記した集合鉢９を製造するには、図４に示すように、図示を略すロールから同期して二段に引出した二枚の紙シート１０，１１に所定のピッチで一対のコ字形切込１２を入れ、前記底片３となる切片４，５を形成する。続いて、何れか一方の紙シート１０または１１の合せ面に、所定のピッチで耐水性接着剤６を塗布して所定幅の塗膜面１３を得、これと同時に、前記切片４，５の先端部にも耐水性接着剤６を塗布して所定幅の塗膜面１４を得る。塗膜面１３は前記連結片７に対応する部分、塗膜面１３の相互間の非塗膜面１５は底付き鉢１に対応する部分であり、塗膜面１３の一つと非塗膜面１５の一つとを一単位として、この単位を紙シート１０，１１の引出方向Ａに連続に設定する。この時、所定の単位数ごとに折返部１６を設定すると共に、その折返線１６ａに沿って耐水性接着剤６を塗布して狭幅の塗膜面１７を得る。
【００１３】
その後、二枚の紙シート１０，１１を重ね合せる。この重ね合せにより、各塗膜面１３、１４、１７の部分で二枚の紙シート１０，１１が接合し、底付き鉢１を連結片７で連結した連続鉢８（図３）が完成する。次に、この連続鉢８の表面の、前記切込１２を設けた領域１５′（図４）を除く部分に水溶性接着剤を塗布し、続いてこの連続鉢８を、図５に示すように前記折返線１６ａを境に左右交互に折返して積層し、積層体１８を得る。この積層体１８は、集合鉢９の扁平状態を表し、これを左右方向へ伸長すれば前記したようにハニカム状に展開することになる。
【００１４】
なお、本第１の実施の形態における底片３の数は任意であり、三条以上とすることができる。また、この底片３を形成するための切片４，５は、鉢本体２の相対向する側壁のみでなく、相隣接する側壁に設けても良いものである。
【００１５】
図６は、本発明の第２の実施の形態を示したものである。本第２の実施の形態としての底付き鉢体２１は、四角筒状の鉢本体２２と鉢本体２２の内底部に設けられた複数の底片２３とからなっている。底片２３は、鉢本体２２の相隣接する側壁を切起こしてなる切片２４，２５の先端部同士を耐水性接着剤２６で貼着して形成されている。切片２４，２５は、ここでは一つの側壁に対して各２つ設けられおり、したがって鉢本体２の底部は、二条の底片２３を橋渡した透過構造となっている。
【００１６】
上記底付き鉢体２１を製造するには、図７に示すように、予めとじ代２７を見込んだ一枚の紙シート２８を用意し、この紙シート２８に前記切片２４，２５を形成するための切込２９を所定のピッチで入れた後、前記とじ代２７および相対する切片２４，２５の先端部に耐水性接着剤２６を塗布し、その後、紙シート２８を巻いて前記とじ代２７にて袋閉じすると共に、相対する切片２４，２５が重なるように扁平体３０とすれば完成する。
【００１７】
一方、上記した底付き鉢体２１を集合させて集合鉢とするには、先ず図８に示すように、前記扁平体３０を１／２ピッチずつずらして水溶性接着剤を介して重ね合せて所定長さの連続体３１となし、これとは別に扁平体３０の重ね方向を逆にした連続鉢３１′を用意する。次に、図９に示すように、扁平体３０の重ね方向を変更した連続体３１および３１′を交互に水溶性接着剤を介して積層して積層体３２とする。この積層体３２は、集合鉢の扁平状態を表し、これを左右方向へ引張れば、前記四角筒状の底付き鉢体２１（図６）が密に集合した集合鉢（図示略）が展開することになり、底付き鉢体２１内に播種して集中的に育苗することができる。そして、育苗後は、水溶性接着剤の溶解により各底付き鉢体２１が容易に分離するので、底付き鉢体２１ごとの移植が可能になり、この時、底付き鉢体２１の底片２３が土抜けを防ぎ、上記第１の実施の形態と同様に、移植された苗は順調に生長する。ここで、本第２の実施の形態における底片２３の数は任意であり、三条以上とすることができる。
【００１８】
なお、上記第２の実施の形態における製造方法をそのまま利用して、六角筒状の底付き鉢体を集合させた集合鉢とすることができる。ただし、この場合は、扁平体を１／３ピッチずつずらして重ね合せる必要がある。
【００１９】
【発明の効果】
以上、詳細に説明したように、本発明に係る底付き鉢体によれば、側壁から切起こした切片を底片として用いるので、材料的な無駄がなくなり、しかも底片が内部に納まるので、扁平状態とした際の面積が縮小し、製造コストはもとより保管、輸送コストが著しく低減する効果がある。
【図面の簡単な説明】
【図１】本発明の第１の実施の形態としての底付き鉢体の構造を示す斜視図である。
【図２】図１に示した底付き鉢体の平面図である。
【図３】底付き鉢体を構成要素とする連続鉢および集合鉢の構造を示す斜視図である。
【図４】第１の実施の形態としての底付き鉢体の製造に用いる紙シートに対する加工状態を示す平面図である。
【図５】連続鉢を積層して集合鉢とする工程を示す模式図である。
【図６】本発明の第２の実施の形態としての底付き鉢体の構造を示す斜視図である。
【図７】図６に示した底付き鉢体の扁平状態を示す正面図である。
【図８】図６に示した底付き鉢体を集合させて集合鉢を得る途中工程を示す正面図である。
【図９】図６に示した底付き鉢体を集合させて集合鉢を得る最終工程を示す模式図である。
【符号の説明】
１，２１  底付き鉢体
２，２２  鉢本体
３，２３  底片
４，５，２４，２５  切片
６，２６    耐水性接着剤
７  連結片
８  連続鉢
９  集合鉢
【図１】
0003663527.tif 000002
【図２】
0003663527.tif 000003
【図３】
0003663527.tif 000004
【図５】
0003663527.tif 000005
【図４】
0003663527.tif 000006
【図６】
0003663527.tif 000007
【図７】
0003663527.tif 000008
【図８】
0003663527.tif 000009
【図９】
0003663527.tif 000010